(57)【特許請求の範囲】
【請求項１】
木造柱の端部に取り付ける側断面形状がコ字形の吊り治具であって、
木造柱の長手方向の一端部にドリフトピン工法用に穿設された孔に対応させた貫通孔が設けられた同じ大きさの一対の側板と、
前記一対の側板を適宜間隔をおいて前記貫通孔を対向させた側板の片側側面に当接させ且つ前記貫通孔の列の方向に平行させ平板の片側平面を当接させ溶接して固着された吊りプレートと、
前記吊り治具を吊り上げる揚重手段のフックを掛けるために、前記吊り治具に設けられた吊りピースとでなること、
を特徴とする木造柱の吊り治具。
【請求項２】
吊りピースは、前後・左右・上下の３方向のうちの１方向へ適宜選択して、木造柱を揚重手段のフックで吊り上げられるように、設けられていること、
を特徴とする請求項１に記載の木造柱の吊り治具。
【発明の詳細な説明】
【技術分野】
【０００１】
本発明は、木造柱の吊り治具に関するものである。
【背景技術】
【０００２】
従来、木造柱をクレーン等で吊り上げる場合には、例えば、特許文献１に記載されているような、鉄骨柱を吊り上げの対象とする場合に用いる吊ピースを、木造柱にそのまま取り付けることができない。そこで、吊り上げ対象が木造柱の場合には、スリングなどの吊り材で胴巻きにして吊り上げることが多い。
【先行技術文献】
【特許文献】
【０００３】
【特許文献１】特開２０１６−２３０２１号公報
【発明の概要】
【発明が解決しようとする課題】
【０００４】
しかし、従来の吊り材では、重量の大きい木造柱の吊り方においては、大規模な施工例が少なく、吊る方法が確立されていない。また、木造柱を胴巻きにして吊ると滑り落ちる危険性が高い。更に、前記胴巻きにして木造柱を吊る方法では、該木造柱を絞るため柱に傷を付けるおそれがある。本発明に係る木造柱の吊り治具は、このような課題を解決するために提案されたものである。
【課題を解決するための手段】
【０００５】
本発明に係る木造柱の吊り治具の上記課題を解決して目的を達成するための要旨は、木造柱の端部に取り付ける側断面形状がコ字形の吊り治具であって、木造柱の長手方向の一端部にドリフトピン工法用に穿設された孔に対応させた貫通孔が設けられた同じ大きさの一対の側板と、前記一対の側板を適宜間隔をおいて前記貫通孔を対向させた側板の片側側面に当接させ且つ前記貫通孔の列の方向に平行させ平板の片側平面を当接させ溶接して固着された吊りプレートと、前記吊り治具を吊り上げる揚重手段のフックを掛けるために、前記吊り治具に設けられた吊りピースとでなることである。
【０００６】
前記吊りピースは、前後・左右・上下の３方向のうちの１方向へ適宜選択して、木造柱を揚重手段のフックで吊り上げられるように、設けられていることを含むものである。
【発明の効果】
【０００７】
本発明の木造柱の吊り治具によれば、木造柱の頭部若しくは脚部に、吊りピースを取り付けることができるようになる。重量の大きい木造柱でも安全に、且つ、品質を損なうこと無く、クレーン等で建起こし、吊り上げて所望の箇所に搬入することができる。これにより、木造柱の施工効率が大きく向上すると言う優れた効果を奏するものである。
【図面の簡単な説明】
【０００８】
【図１】本発明に係る木造柱の吊り治具１の斜視図である。
【図２】同本発明の木造柱の吊り治具１ａの側面図（Ａ）、側面図（Ｂ）である。
【図３】同木造柱の吊り治具１を、取付用ピース１ｈを利用して、柱頭に装着している様子を示す斜視図である。
【発明を実施するための形態】
【０００９】
本発明に係る木造柱の吊り治具１は、図１に示すように、木造柱のドリフトピン用の孔を利用した吊り治具である。
【実施例１】
【００１０】
本発明に係る木造柱の吊り治具１は、木造柱の端部に取り付ける側断面形状がコ字形で、全体が金属製で帽子形の吊り治具である。図１に示すように、木造柱の長手方向の一端部にドリフトピン工法用に穿設された孔に対応させた貫通孔１ｄが設けられた側板１ｂ，１ｃがある。
【００１１】
前記木造柱のドリフトピン工法用の孔とは、木材の柱頭部や柱脚部に溝を設け、該溝に金物を差し込んで接合用の仕口を形成し、ドリフトピンを打ち込んで応力を伝達させる場合の、ドリフトピン用の孔である。
【００１２】
この木造柱の吊り治具１では、前記ドリフトピン用の孔を利用する。前記貫通孔１ｄは、前記ドリフト用の孔の数、大きさ、その位置、ピッチなど、木造柱２の設けられた孔にに一致するように、対応させてある。
【００１３】
前記側板１ｂ，１ｃを、吊り上げようとする木造柱の太さに合わせて、適宜間隔をおいて前記貫通孔１ｄを対向させて配置する。この一対の側板１ｂ，１ｃに、該側板１ｂ，１ｃの片側側面（図１において、上側の側面）に当接させ、且つ、前記貫通孔１ｄの各１列の長手の方向（略水平方向）に平行にして、平板の片側平面（図１において、平板の裏面である）を当接させ架設して、当接部分を溶接手段で固着される吊りプレート１ｅがある。
【００１４】
また、前記吊り治具１を吊り上げる揚重手段（クレーン等、図示せず）のフック４（図３参照）を掛けるために、前記吊り治具１の吊りプレート１ｅに３箇所に設けられた吊りピース１ｆ，１ｇ，１ｋがある。
【００１５】
前記吊りピース１ｆ，１ｇ，１ｋの３個で設けたのは、吊りプレート１ｅにおいて、少なくとも前後・左右・上下の３方向のうちの１方向へ適宜選択して、木造柱２（図３参照）を揚重手段のフック４で吊り上げられるように、設けたのである。これにより、吊り対象である木造柱の建起こしが、スムーズに施工できるようになる。なお、この吊りピース１ｆ，１ｇ，１ｋは、例えば、それぞれ１０ｔ用である。
【００１６】
なお、実施例の一例として、木造柱の吊り治具１の大きさは、図１に示すように、側板１ｂ，１ｃが、横幅（Ｗ）が４００ｍｍ、高さ（Ｈ１）が４８０ｍｍ、一対の間隔（Ｌ）が４３０ｍｍ程度で、板厚（ｔ）が１０ｍｍである。また、吊りプレート１ｅは、板厚（ｔ）が４０ｍｍで、縦・横が４２０ｍｍ、４５５ｍｍである。これらの寸法は、任意であり、特に限定されないのは勿論である。
【実施例２】
【００１７】
図２に示すように、他の実施例に係る木造柱の吊り治具１ａであり、この治具においては、側板１ｂ，１ｃの貫通孔１ｄが、横（水平方向）に一列であり、側板１ｂ，１ｃの高さ（Ｈ２）が２００ｍｍである。吊りピース１ｊは、１０ｔ用であって、吊りプレート１ｅに１箇所だけである。比較的小型である場合の木造柱２に、簡易に適用できる。尚、上記実施例１，２において、吊りピース１ｆ，１ｇ，１ｊ，１ｋを吊りプレート１ｅに設けたが、これに限らず、木造柱２が軽量であれば、前記吊りピースの一部を側板１ｂ，１ｃに設けることもある。
【００１８】
以上のような木造柱の吊り治具１，１ａを使用して、木造柱の吊り荷作業について説明する。図３に示すように、建築工事現場で地組した、カバー（耐火被覆）３を有する木造柱２の柱頭部に、側板１ｃに設けた取付用ピース１ｈにフック４を掛けて吊った前記木造柱の吊り治具１を誘導して装着する。そして、前記木造柱の吊り治具１の貫通孔１ｄおよび木造柱２のドリフトピン用孔に、ボルト５をそれぞれ挿通させてナット締めする。
【００１９】
そして、例えば、前記木造柱の吊り治具１の吊りピース１ｆに、クレーンなどの揚重装置のフック４をシャックル４ａを介して取り付け、前記木造柱２を建起しする。そして、この木造柱２を木造柱の吊り治具１で吊り上げて、所定の位置に搬入し、木造柱２を建方するものである。
【産業上の利用可能性】
【００２０】
本発明に係る木造柱の吊り治具１，１ａによれば、重量のある木造柱に広く適用され、且つ、安全に吊り上げることが可能となるものである。
【符号の説明】
【００２１】
１，１ａ    木造柱の吊り治具、        
１ｂ，１ｃ  側板、
１ｄ        貫通孔、
１ｅ        吊りプレート、
１ｆ，１ｇ，１ｊ，１ｋ  吊りピース、
１ｈ        取付用ピース、
２          木造柱、
３          カバー、
４          フック、            ４ａ        シャックル、
５          ボルト。
【図１】
0006680569.tif 000002
【図２】
0006680569.tif 000003
【図３】
0006680569.tif 000004